(57)【要約】【課題】毛髪に染毛液を塗布するときに染毛液を頭皮、顔、額、首筋等に付けずに、さらには衣服等を汚さずに毛髪をむらなく綺麗に手軽に染めることができる染毛用具の提供。【解決手段】不透液性の手袋または指サックに、連続した空隙を有するシートに穴およびまたは溝が複数配置された塗布部材を貼付したことを特徴とする染毛用具。穴または溝は、一般的に粘度の高い染毛液を充分な量付着保持でき，更に毛髪への塗布に際しては付着保持した染毛液を手袋または指サック越しに手または指を使って毛髪に押付けて擦りつけたり指と指で毛髪を挟んで摺り込むようにして付けたりする時にスムーズに染毛液を毛髪に移行できる大きさである。【選択図】図１
2005270539.tif 000002
【特許請求の範囲】
【請求項１】
不透液性の手袋または指サックに、連続した空隙を有するシートに穴およびまたは溝が複数配置された塗布部材を貼付したことを特徴とする染毛用具。
【発明の詳細な説明】
【技術分野】
【０００１】
本発明は、白髪染めやおしゃれ染めをするヘアカラー用の染毛液を使って毛髪全体を染めたりまたは部分染めをしたりする場合に、染毛液を頭皮、顔、額、首筋等に付けずに、さらには衣服等を汚さずに毛髪をむらなく綺麗に手軽に染めることができる染毛用具に関するものである。
【背景技術】
【０００２】
従来、染毛液を使って毛髪を白髪染めやおしゃれ染めするに際しては、コーム（櫛）またはヘアダイブラシ（刷毛）またはスポイトを使って直接染毛液を毛髪に塗布している。
【０００３】
ところが、染毛液を毛髪の生え際に櫛、ヘアダイブラシ、スポイト等によって手加減で塗布しようとすると、櫛、ヘアダイブラシ、スポイト等が頭皮に触れて染毛液が頭皮に付着し易い。また櫛、ヘアダイブラシへの染毛液の付着量やスポイトからの滴下量が多目になった場合も頭皮に染毛液が垂れて頭皮に付着し易いし、染める毛髪の位置によっては染毛液が垂れて顔、額、首筋等への付着や衣服等を汚すといった不具合が生じてしまう。
【０００４】
このため、毛髪の生え際の毛染め作業が慎重になって、毛髪生え際の染毛液の塗布量が毛先の染毛液の塗布量よりも多くなったり、染毛液の垂れ下がりを防ぐために櫛、ヘアダイブラシへの染毛液の付着量やスポイトからの滴下量を少な目にする事などにより毛染め作業に時間を要してしまったりし、発色斑が発生する要因となっていた。
【０００５】
または、頭髪全体を染毛後、色の違いが目立つようになった生え際だけを染毛する場合や、部分的な白髪を染毛する部分染めに際しては、ゴム手袋の指先にスポンジや毛を取り付けて染毛出来る様にした手袋（特許文献１）やシートに特定形状のブラシ部を設けそのシートを指先に巻き付け、貼付等により装着する染毛ブラシ（特許文献２）が提案されている。
【０００６】
従来の手袋式あるいは指先に装着するブラシ式であれば櫛、ヘアダイブラシ、スポイトに比べ染める部分が狭く限られている事もあり染めむらなどによる発色斑は少ないものの、スポンジやブラシへの染毛液の付着量の加減により多すぎれば垂れて頭皮、顔、額、首筋への付着や衣服等を汚すといった不具合が発生し、少なすぎれば１回の塗布では不充分な為塗布を繰り返すこととなり、毛染め作業に時間を要してしまい発色斑が発生する要因となってしまう。
【特許文献１】実開昭６４−３０３１１号
【特許文献２】特開２００３−３３９４２４号
【発明の開示】
【発明が解決しようとする課題】
【０００７】
本発明は、毛髪に染毛液を塗布するときに染毛液を頭皮、顔、額、首筋等に付けずに、さらには衣服等を汚さずに毛髪をむらなく綺麗に手軽に染めることができる染毛用具の提供を目的とする。
【課題を解決するための手段】
【０００８】
本発明は、不透液性の手袋または指サックに、連続した空隙を有するシートに穴およびまたは溝が複数配置された塗布部材を貼付したことを特徴とする染毛用具に関する。
【発明の効果】
【０００９】
本発明によれば、白髪染めやおしゃれ染めをするヘアカラー用の染毛液を使って毛髪全体を染めたりまたは部分染めをしたりする場合に、染毛液を頭皮、顔、額、首筋等に付けずに、さらには衣服等を汚さずに毛髪をむらなく綺麗に手軽に染めることができる。
【発明を実施するための最良の形態】
【００１０】
不透液性の手袋または指サックに、連続した空隙を有するシートに穴およびまたは溝が複数配置された塗布部材を貼付した染毛用具を使用する。
【００１１】
前記穴または溝は、一般的に粘度の高い染毛液を充分な量付着保持でき，更に毛髪への塗布に際しては付着保持した染毛液を手袋または指サック越しに手または指を使って毛髪に押付けて擦りつけたり指と指で毛髪を挟んで摺り込むようにして付けたりする時にスムーズに染毛液を毛髪に移行できる大きさであり、穴の場合は直径が好ましくは２．０ｍｍ〜１０．０ｍｍ、より好ましくは３．０ｍｍから７．０ｍｍであり、溝の場合は狭い方の幅が好ましくは２．０〜６．０ｍｍ、より好ましくは３．０〜４．０ｍｍである。
【００１２】
前記穴または溝の数や配置は、前記塗布部材を手袋または指サックへ貼付する位置により適宜決められる。また、前記穴の形状は円以外の三角形、四角形、五角形等の多角形や異形形状であっても構わない。また、前記溝の形状は矩形、楕円形、波形、弓形等であっても構わない。
【００１３】
前記塗布部材の大きさや貼付する位置は、毛髪全体を染める場合は指部を含む手のひら全てや指や手の折り曲げを考慮した部分的な貼付が望ましく、部分染めの場合は親指、人差し指、中指の第１関節から上部などが望ましいが、特に限定されるものではない。また指の手の平側にだけの貼付や指の側面を覆う貼付さらには指全体を覆う貼付なども特に限定されるものではない。
【００１４】
前記連続した空隙を有するシートは、前記穴または溝に付着保持した染毛液を手袋または指サック越しに手または指を使って毛髪に押付けて擦りつけたり指と指で毛髪を挟んで摺り込むようにして付けたりする時に均一に塗り広げる事ができる軟らかさと弾力性を有しており、その程度は指で押付けた時にその厚さが３分の１から３分の２位に薄くなり、押付けを解除した時にはほぼ元の厚さに戻る程度の軟らかさと弾力性が好ましい所である。
【００１５】
さらに前記連続した空隙を有するシートは、前記穴または溝に付着保持した染毛液を手袋または指サック越しに手または指を使って毛髪に押付けて擦りつけたり指と指で毛髪を挟んで摺り込むようにして付けたりする時に、染毛液が毛髪に多く付いたり垂れて顔などに付いたり衣服を汚したりすることの無いように、過剰な染毛液を再び付着または含浸できるものであり、前記空隙率は好ましくは５０〜９５％より好ましくは７０〜９２％である。なお、空隙率は次により算出される。
空隙率（％）＝（（穴または溝を含まない）連続した空隙を有するシート部分の空隙容積）÷（（穴または溝を含まない）連続した空隙を有するシート部分の全容積）×１００
【００１６】
さらに前記連続した空隙を有するシートの厚さは、厚すぎて染毛液を毛髪に塗布する時に指または手の動きを制約しないことと、さらに薄すぎて染毛液を穴または溝に付着保持する量が不足しないことが重要であり、好ましくは０．５〜５．０ｍｍ、より好ましくは１．０〜３．５ｍｍである。
【００１７】
さらに前記連続した空隙を有するシートは、単糸が１〜２２デシテックスで、材質がポリエステル、アクリル、ナイロン、ポリオレフィン系、ウール、綿、セルロースなどよりなる繊維群から選ばれた１種または２種以上により構成されるフェルトまたはウレタンフォーム、ポリオレフィン系フォーム、ポリスチレン系エラストマー多孔質体などのスポンジよりなる。前記フェルト材は、熱プレスにより繊維と繊維が部分的に融着することで繊維の抜け落ち防止可能となる熱融着タイプの繊維を使用するのがより好ましい。
【００１８】
前記不透液性手袋または指サックは、不透液性で伸縮性などがある作業性のよいもので前記連続した空隙を有するシートの貼付性がよいものであれば材質等特に問題としないが、天然ラテックス製、ニトリルゴム製、ポリエチレン製、塩ビ製等が挙げられ、中では天然ラテックス製、ニトリルゴム製がより好ましい。
【実施例１】
【００１９】
図１に本発明の第１実施例を示す。本実施例は、３．３デシテックスのエステル繊維と融点の低い４.４デシテックスのエステル繊維とからなるフェルトを熱プレスして得られた厚さ２．５ｍｍ、空隙率８８％の連続した空隙を有するシートにポンチにてプレス加工した直径ｄが５．０ｍｍの円形孔を１４個配置している塗布部材２ａを天然ラテックス製手袋１の親指、人差し指、中指のほぼ第１関節から上部の手のひら側に貼付しており部分染めに適している。
【実施例２】
【００２０】
図２に本発明の第２実施例を示しており、構成は前記した図１の態様ものと基本的に同一であるため共通している構成の説明は符号を準用して省略し、相違する構成について説明する。第２実施例の塗布部材２ｂは、第１実施例と同じ構成のシートにポンチにてプレス加工した狭い方の幅ｔが３．０ｍｍの溝を４本配置しており部分染めに適している。
【実施例３】
【００２１】
図３に本発明の第３実施例を示しており、構成は前記した図１の態様のものと基本的に同一であるため共通している構成の説明は符号を準用して省略し、相違する構成について説明する。第３実施例の塗布部材２ｃは、第１実施例と同じ構成のシートにポンチにてプレス加工した直径ｄが５．０ｍｍの穴が指の最先端部に狭い方の幅ｔが３．０ｍｍの溝がその下方に３本配置されており部分染めに適している。
【実施例４】
【００２２】
図４に本発明の第４実施例を示す。本実施例は、３．３デシテックスのエステル繊維と融点の低い４.４デシテックスのエステル繊維とからなるフェルトを熱プレスして得られた厚さ２．５ｍｍ、空隙率８８％の連続した空隙を有するシートにポンチにてプレス加工した直径ｄが５．０ｍｍの孔が指部を含む手のひら全体に配置された塗布部材２ｄを天然ラテックス製手袋に貼付しており、毛髪全体の毛染めまたは指先だけを使った部分染めに適している。
【実施例５】
【００２３】
図５に本発明の第５実施例を示す。本実施例は、３．３デシテックスのエステル繊維と融点の低い４.４デシテックスのエステル繊維とからなるフェルトを熱プレスして得られた厚さ２．５ｍｍ、空隙率８８％の連続した空隙を有するシートにポンチにてプレス加工した直径ｄが５．０ｍｍの孔を１４個配置している塗布部材２ｅをニトリルゴム製の指サック３の第１関節から上部に貼付しさらに前記シートにポンチにてプレス加工した狭い方の幅ｔが３．０ｍｍの溝を３本配置している塗布部材２ｆを第１関節と第２関節の間に該当する位置に貼付している染毛用具であり指の折り曲げが可能でより広い範囲の部分染めに適している。
【実施例６】
【００２４】
図６に本発明の第６実施例を示す。本実施例は、３．３デシテックスのエステル繊維と融点の低い４.４デシテックスのエステル繊維とからなるフェルトを熱プレスして得られた厚さ２．５ｍｍ、空隙率８８％の連続した空隙を有するシートにポンチにてプレス加工した直径ｄが５．０ｍｍの孔を多数個配置している塗布部材２ｇをニトリルゴム製の指サック３の指先端を含む全周を包囲するように第１関節から上部に貼付している染毛用具であり第１関節から上の指全てを使うことができより細かな部分染めに適している。
【産業上の利用可能性】
【００２５】
本発明は、ヘアカラー用の染毛液を使って毛髪を染めるための用具に適している。
【図面の簡単な説明】
【００２６】
【図１】染毛用具（実施例１）
【図２】染毛用具（実施例２）
【図３】染毛用具（実施例３）
【図４】染毛用具（実施例４）
【図５】染毛用具（実施例５）
【図６】染毛用具（実施例６）
【符号の説明】
【００２７】
１    天然ラテックス製手袋
２ａ  塗布部材
２ｂ  塗布部材
２ｃ  塗布部材
２ｄ  塗布部材
２ｅ  塗布部材
２ｆ  塗布部材
２ｇ  塗布部材
３    ニトリルゴム製指サック
ｄ    穴の直径
ｔ    狭い方の幅
【図１】
2005270539.tif 000003
【図２】
2005270539.tif 000004
【図３】
2005270539.tif 000005
【図４】
2005270539.tif 000006
【図５】
2005270539.tif 000007
【図６】
2005270539.tif 000008